(57)【要約】【課題】本発明は身回り品の止着具に関し、ジャケット、シャツ、毛皮のコート等の衣料品の前身頃を構成する右部前身頃と左部前身頃との開閉や後身頃を構成する右部後身頃と左部後身頃とを開閉したり、ショール、衿巻き等の止着部、バッグ等の身回品の開口部の止着具である。【解決手段】金属線条材１を折曲、加工して第１被取付体２に止着される雄側結着環状部３,３を両基端部に設け、該雄側結着環状部から長手方向に延設された雄状挿入部４に対して背面に基端部側へ折り返したフック状の係止部５を設けた雄状止着部材Ｊ１と、金属線条材１を折曲、加工して第１被取付体２に結合可能な第２被取付体６に止着される略環状の雌側結着環状部７を両基端に設け、該雌側結着環状部に係止部５が係脱可能な閉鎖状態をなす被係止環部８を設けた雌状止着部材Ｊ２とを備え、雄状止着部材および雌状止着部材の金属線条材が人造皮革よりなる保護筒体１０内に挿入される。【選択図】図１
2007014527.tif 000002
【特許請求の範囲】
【請求項１】
金属線条材を折曲、加工することにより第１被取付体に止着される雄側結着環状部を上下の両基端部に設け、該雄側結着環状部から長手方向に延設された雄状挿入部に対して背面に基端部側へ折り返したフック状の係止部を設けた雄状止着部材と、
金属線条材を折曲、加工することにより前記第１被取付体に結合可能な第２被取付体に止着される略環状の雌側結着環状部を上下の両基端に設け、該雌側結着環状部に前記係止部が係脱可能な閉鎖状態をなす被係止環部を設けた雌状止着部材と、
を備えた身回り品の止着具であって、
前記雄状止着部材および前記雌状止着部材における前記金属線条材が人造皮革により筒状に設けた保護筒内に挿入されることを特徴とする身回り品の止着具。
【請求項２】
前記保護筒体が、熱可塑性の合成樹脂よりなる不織布を基体とした人造皮革であることを特徴とする請求項１に記載の身回り品の止着具。
【請求項３】
前記保護筒体が、リボン状乃至は短冊状の人造皮革よりなる保護筒生地材の長手方向の上下の両縁部相互を縫着するか、または熱溶着するか、高周波溶着するか、超音波溶着するかにより筒状に形成されたことを特徴とする請求項１または２に記載の身回り品の止着具。
【請求項４】
前記保護筒体が、保護筒生地材を長手方向に２つ折りして両縁部を固着して一端に前後方向の引っ張り力を与えて裏返し状態から表側へと折り返して筒状に形成させながら金属線条材を挿入することを特徴とする請求項１〜３の何れか１項に記載の身回り品の止着具。
【請求項５】
前記保護筒体が、長手方向の前後の両端を加熱処理するか、または高周波溶着するか、超音波溶着するかにより閉鎖されたことを特徴とする請求項１〜４の何れか１項に記載の身回り品の止着具。
【請求項６】
前記雄状止着部材が、前記係止部の幅を前記雌状止着部材の被係止環部の幅よりも僅かに幅広に設けて前記被係止環部の内側に弾力的に圧接することを特徴とする請求項１〜５の何れか１項に記載の身回り品の止着具。
【請求項７】
前記雌状止着部材が、前記被係止環部を基端部側が窄小となる正面略円形に形成するか、または正面略長円形に形成するか、もしくは正面略三角形に形成するか、さらには正面略コ字形に形成することを特徴とする請求項１〜６の何れか１項に記載の身回り品の止着具。
【発明の詳細な説明】
【技術分野】
【０００１】
本発明は身回り品の止着具に関し、例えばジャケット、シャツ、毛皮のコート等の衣料品の前身頃を構成する右部前身頃と左部前身頃との開閉や後身頃を構成する右部後身頃と左部後身頃との開閉に用いたり、またはショール、衿巻き等の衣料品の止着部に用いたり、さらにはバッグ等の身回品の開口部を止着するための止着具として最適に使用されるものである。
【背景技術】
【０００２】
従来、衣料用として例えばブラジャー、またブラジャ−部に胴部と腰部との構成部材を一体化したブラスリップ、ブラジャー部と胴部および下肢部の構成部材を一体化したボディスーツ等の下着には、装着時の着脱を容易になすために、ブラジャーの前部の左右カップ布に連設して側脇部から背面にかけて延びるバック布の一端部に例えば金属線条材を折曲、加工することにより第１被取付体としてのバック布に止着される雄側結着環状部を上下の両基端部に設け、該雄側結着環状部から長手方向に延設された雄状挿入部に対して背面に基端部側へ折り返したフック状の係止部を設けた雄状止着部材と、金属線条材を折曲、加工することにより前記第１被取付体に結合可能な第２被取付体としてのバック布に止着される略環状の雌側結着環状部を上下の両基端に設け、該雌側結着環状部に前記係止部が係脱可能な閉鎖状態をなす被係止環部を設けた雌状止着部材とを備えた止着具が使用されていた（例えば、特許文献１参照。）。
【０００３】
また、衣料用の止着具とは用途を異にするものとして、例えば電線は導電性の金属線よりなる導体部をゴム、または柔軟性を有する合成樹脂等の電気絶縁材により被覆したり、電気絶縁材をコーティングした紙テープを導体部に捲回したり、また、電気絶縁材を基材としての布帛にコーティングした編組組織を導体部に外装保護層として被覆する等している。
【特許文献１】実用新案登録第３１０３４５１号公報
【発明の開示】
【発明が解決しようとする課題】
【０００４】
しかしながら上記特許文献１に記載のように、金属線条材を折曲加工することによりフック状に形成される雄状止着部材と、該雄状止着部材が係脱可能になるように設けられる閉鎖ループ状の雌状止着部材とから構成される止着具は、雄状止着部材および雌状止着部材がともに金属線条材を折曲することにより製作されるので、金属線条材よりなる止着具が膚に接触すると、冷たさを感じ、違和感を感ずることがあった。また、止着具を膚に接触すると、滑り易いため、雄状止着部材と雌状止着部材との係合が解けて外れ易く、不安定な止着状態しか保証されない。しかも、洗濯が繰り返して行われたり、長い間使用されると、金属線条材よりなる止着具の表面に錆びを生ずることがあった。さらには、金属線条材は色彩的には金属色に限られたものであるので、止着具を被取付体としての下着に止着するのに使用した場合には、調和が採れなかったり、風合いを損ね、またデザイン的にも変化に乏しいものであった。
【０００５】
また、導電性の金属線よりなる導体部の外周に、ゴム、柔軟性を有する合成樹脂等の電気絶縁材により被覆したり、電気絶縁材をコーティングした紙テープを導体部に捲回したり、また、電気絶縁材を布帛にコーティングした編組組織を導体部に外装保護層として被覆する等している電線は、電気を流すための導通路として使用されるものであり、電線の運搬、保管、管理、さらには電線の配索、引き回し、さらには接続作業の観点から可撓性を有するものなので、電線は常時一定の外形に維持されるという保形性を有するものではない。また、電線は、導体部相互および導体部と中継端子との電気的な接続をはかり、電気的な導通路を確保することを意図するものであり、導体部の外周面のみが絶縁材にて被覆されるだけであり、導体部の前後の両端を絶縁材により被覆してはいない。
【０００６】
さらに、電線は、廃棄処理時に金属線よりなる導体部と、該導体部の外周を被覆している電気絶縁材とを導体部から剥離することにより電気絶縁材と導体部とを個別に選別作業を行うのは容易ではなく、多くの時間と労作を必要としていた。
【０００７】
本発明は上記課題に鑑みなされ、膚に接触した場合に肌触りが良く、違和感を覚えず、また、不用意な滑りを生ずることなく、安定した確実な止着状態を維持し、しかも、金属線条材の表面に錆びを生ぜず、防錆機能を有効に発揮し、また、色彩が多彩で止着具自体が取付けられる被取付体との調和が容易にはかれ、風合いを損ねずに、デザイン的な変化に富み、さらには廃棄処理時の構成素材の分別性に優れて資源の有効活用と無公害化を達成する身回り品の止着具を提供しようとするものである。
【課題を解決するための手段】
【０００８】
本発明の請求項１に記載の発明は、金属線条材を折曲、加工することにより第１被取付体に止着される雄側結着環状部を上下の両基端部に設け、該雄側結着環状部から長手方向に延設された雄状挿入部に対して背面に基端部側へ折り返したフック状の係止部を設けた雄状止着部材と、
金属線条材を折曲、加工することにより前記第１被取付体に結合可能な第２被取付体に止着される略環状の雌側結着環状部を上下の両基端に設け、該雌側結着環状部に前記係止部が係脱可能な閉鎖状態をなす被係止環部を設けた雌状止着部材と、
を備えた身回り品の止着具であって、
前記雄状止着部材および前記雌状止着部材における前記金属線条材が人造皮革により筒状に設けた保護筒内に挿入されることを特徴とする。
【０００９】
また、請求項２に記載の発明は、請求項１において、本発明の前記保護筒体が、熱可塑性の合成樹脂よりなる不織布を基体とした人造皮革であることを特徴とする。
【００１０】
また、本発明の請求項３に記載の発明は、請求項１または２において、前記保護筒体が、リボン状乃至は短冊状の人造皮革よりなる保護筒生地材の長手方向の上下の両縁部相互を縫着するか、または熱溶着するか、高周波溶着するか、超音波溶着するかにより筒状に形成されたことを特徴とする。
【００１１】
また、本発明の請求項４に記載の発明は、請求項１〜３の何れか１項において、前記保護筒体が、保護筒生地材を長手方向に２つ折りして両縁部を固着して一端に前後方向の引っ張り力を与えて裏返し状態から表側へと折り返して筒状に形成させながら金属線条材を挿入することを特徴とする。
【００１２】
また、本発明の請求項５に記載の発明は、請求項１〜４の何れか１項において、前記保護筒体が、長手方向の前後の両端を加熱処理するか、または高周波溶着するか、超音波溶着するかにより閉鎖されたことを特徴とする。
【００１３】
また、本発明の請求項６に記載の発明は、請求項１〜５の何れか１項において、前記雄状止着部材が、前記係止部の幅を前記雌状止着部材の被係止環部の幅よりも僅かに幅広に設けて前記被係止環部の内側に弾力的に圧接することを特徴とする。
【００１４】
また、本発明の請求項７に記載の発明は、請求項１〜６の何れか１項において、前記雌状止着部材が、前記被係止環部を基端部側が窄小となる正面略円形に形成するか、または正面略長円形に形成するか、もしくは正面略三角形に形成するか、さらには正面略コ字形に形成することを特徴とする。
【発明の効果】
【００１５】
本発明の身回り品の止着具は、膚に接触した場合に肌触りが良く、違和感を覚えず、また、不用意な滑りを生ずることなく、安定した確実な止着状態をを維持でき、しかも、洗濯を繰り返して行ったり、長い間使用しても、金属線条材の表面に錆びを生ぜず、防錆機能を有効に発揮でき、また、色彩が多彩で止着具自体が取付けられる被取付体との調和を容易にはかることができ、風合いを損ねずに、デザイン的な変化に富み、また、廃棄処理時の構成素材の分別性に優れて資源の有効活用と無公害化を達成することができ、さらには用途は広範であり、製作が容易で製作コストは安価である。
【発明を実施するための最良の形態】
【００１６】
以下、本発明の最良の実施形態を図面に従って詳細を説明する。
【００１７】
図１は本発明の身回り品の止着具を示す本実施形態１の係止時の正面図、図２は同じく本実施形態１の止着具を示し係止時の水平断面図、図３は同じく本実施形態１の止着具を構成する加工線部材を示す拡大断面図、図４は同じく本実施形態１を構成する保護筒体の製造工程を示す斜視図、図５は同じく保護筒体の製造工程を示す拡大正面図、図６は同じく本実施形態１を構成する保護筒体を表側に返す状態の説明的な拡大断面図である。
【００１８】
本実施形態１の身回り品の止着具は、金属線条材１を折曲、加工することにより第１被取付体２に止着される雄側結着環状部３,３を上下の両基端部に設け、該雄側結着環状部３,３をから長手方向に延設された雄状挿入部４に対して背面に基端部側へ折り返したフック状の係止部５を設けた雄状止着部材Ｊ１と、金属線条材１を折曲、加工することにより前記第１被取付体２に結合可能な第２被取付体６に止着される略環状の雌側結着環状部７を上下の両基端に設け、該雌側結着環状部７に前記係止部５が係脱可能な閉鎖状態をなす被係止環部８を設けた雌状止着部材Ｊ２とを備えた身回り品の止着具であって、前記雄状止着部材Ｊ１および前記雌状止着部材Ｊ２における前記金属線条材１が人造皮革９により筒状に設けた保護筒体１０内に挿入されることを特徴とする。
【００１９】
また、前記雌状止着部材Ｊ２の前記被係止環部８は、本実施形態１では、図１に示すように基端部側が窄小となる正面略円形に形成されるが、これに限ることなく例えば図７に示すように正面略長円形に形成されるか、もしくは図９に示すように正面略三角形に形成されるか、さらには図１１に示すように正面略コ字形に形成される。
【００２０】
また、前記保護筒体１０が、熱可塑性の合成樹脂、例えばポリアミド樹脂よりなる不織布を基体とし、この基体に表面材としてポリウレタン樹脂をコーティングする等した人造被革９により形成される。また、前記人造皮革９は、例えば、赤色、青色、緑色、黄色、茶色、肌色、灰色、紫色、黒色、金色、銀色等の多彩な色彩により彩色される。
【００２１】
このように、保護筒体１０を人造皮革９により形成するのは、雄状止着部材Ｊ１と雌状止着部材Ｊ２とよりなる身回り品としての止着具Ｊを形成した場合に、金属線条材１を覆っている保護筒体１０が膚に接触しても肌触りが良く、違和感を覚えないのと、また、保護筒体１０はある程度摩擦係数が大きく、不用意な滑りを生ずることないため、雄状止着部材Ｊ１と雌状止着部材Ｊ２との係合が安定した確実な止着状態を維持できることと、しかも、止着具Ｊが取付けられている身回り品の洗濯を繰り返して行ったり、長い間使用しても、止着具Ｊを構成する金属線条材１の表面に錆びを生ずることなく、防錆機能を有効に発揮できるのと、また、色彩が多彩で止着具Ｊ自体が取付けられる第１被取付体２と、第２被取付体６との調和を容易にはかることができるのと、風合いを損ねずに、デザイン的な変化に富むのと、さらには止着具Ｊの製作が容易であって製作コストは安価になるのと、また、廃棄処理時に構成素材として人造皮革９よりなる保護筒体１０を金属線条材１から分離するための分別性に優れて資源の有効活用と無公害化を達成するためである。
【００２２】
また、この保護筒体１０は、本実施形態１では、リボン状乃至は短冊状の人造皮革９よりなる保護筒生地材１０Ａの長手方向Ｉの上下の両縁部１２ａ,１２ｂ相互を縫着することにより筒状に形成するが、この方法に限らず、例えば図には示さないが、保護筒生地材１０Ａの長手方向Ｉの上下の両縁部１２ａ,１２ｂ相互を熱溶着するか、高周波溶着するか、超音波溶着するかの何れかの方法を採用することにより保護筒体３は、筒状に形成される。
【００２３】
この際、前述のように、リボン状乃至は短冊状の人造皮革９よりなる保護筒生地材１０Ａの長手方向Ｉの上下の両縁部１２ａ,１２ｂを衝合して長手方向Ｉに縫着することにより筒状の保護筒体１０を形成するのには、例えば図４乃至図６に示すように、リボン状の保護筒生地材１０Ａが長手方向Ｉに挿入されて移動するのに伴い内側面により次第に保護筒生地材１０Ａを２つ折り状態に案内移送するための先窄まりの誘導管状体２０と、リボン状の前記保護筒生地材１０Ａを誘導管状体２０内に導入するために、該誘導管状体２０の手前側の一端に縦長に設けられた生地導入口２１と、前記保護筒生地材１０Ａの上下の両縁部１２ａ,１２ｂを衝合するために前記誘導管状体２０の先端に連設された扁平な筒状をなす案内筒体部２２と、該案内筒体部２２の後段に位置して保護筒生地材１０Ａが該案内筒体部２２内を長手方向Ｉに案内移送されることにより衝合される両縁部１２ａ,１２ｂをミシン２３の縫針２４が上下動されることにより両縁部１２ａ,１２ｂを縫着するための縫着領域部Ｑと、縫着領域部Ｑにより縫着される保護筒体１０の先端に一端２５ａが固着された紐２５の他端側を該保護筒体１０内を潜らせ、保護筒体１０の縫着方向となる前記移送方向とは逆方向の引っ張り力Ｐを作用させて保護筒体１０を裏返し状態から表側へと折り返すことにより長い長さの筒状の保護筒体１０は形成されるとともにミシン２３により縫着される保護筒生地材１０Ａの両縁部１２ａ,１２ｂの縫い代は隠されて綺麗な仕上がりになる。このようにして形成される保護筒体１０の一端の開口部から金属線条材１を保護筒体１０内に挿入し、所望長さに切断後に保護筒体１０の左右の両端部を後述のように端部処理がされることにより雄状止部材Ｊ１と雌状止部材Ｊ２とを構成する加工線部材１１が形成される。
【００２４】
また、前記保護筒体１０は、本実施形態１では、前述のように金属線条材１を挿入した後に両端を加熱処理して閉鎖することにより加工線部材１１は形成される。この際、加熱処理としては、例えばカッターにて熱裁断することにより行われるが、これに限ることなく、保護筒体１０の端部処理は、例えば高周波溶着されるか、または超音波溶着することにより閉鎖されて保護筒体１０内に挿入された金属線条材１の外周面および前後の両端部が外部に露呈することがないように覆われる。
【００２５】
前記第１被取付体２および第２被取付体６は、例えばジャケット、シャツ、毛皮のコート等の衣料品の前身頃を構成する右部前身頃と左部前身頃であったり、または後身頃を構成する右部後身頃と左部後身頃であったり、または毛皮等のショール、衿巻き等であったり、さらにはバッグ等の身回品の開口部に装着される。そして、本実施形態１の止着具Ｊは、これらの第１被取付体２と、第２被取付体６とを係脱可能に被着するのに簡単な取扱い操作により安定して確実に係着するのに最適に使用される。
【００２６】
また、前記雄状止着部材Ｊ１の係止部５の幅Ｗ１が、前記雌状止着部材Ｊ２の被係止環部８の幅Ｗ２よりも僅かに幅広に設けられることにより雄状止着部材Ｊ１と雌状止着部材Ｊ２との係止時に、雄状止着部材Ｊ１の前記係止部５が雌状止着部材Ｊ２の前記被係止環部８内に係止されて雌状止着部材Ｊ２の内側に雄状止着部材Ｊ１が弾力的に圧接されて雄状止着部材Ｊ１と雌状止着部材Ｊ２との係止が不用意に緩んで前記雌状止着部材Ｊ２から雄状止着部材Ｊ１が抜け出すのを防止し、雄状止着部材Ｊ１と雌状止着部材Ｊ２との係止を安定かつ確実にする。
【００２７】
本実施形態１の身回り品の止着具は、人工皮革９により筒状に設けられた保護筒体１０と、該保護筒体１０内に挿入される金属線条材１とにより加工線部材１１が設けられ、１本の該加工線部材１１をそれぞれ折曲、加工してなる雄状止着部材Ｊ１と、該雄状止着部材Ｊ１が係脱可能に設けられる雌状止着部材Ｊ２とにより止着具Ｊが構成される。そして、前記雄状止着部材Ｊ１は、上下の両基部に対向して略環状に折曲された雄側結着環状部３,３と、該雄側結着環状部３,３から前方へ所望長さＬ１に延設される雄状挿入部４と、該雄状挿入部４から背面に前記基端部側へ折り返された閉鎖状態の係止部５とを備える。また、前記雌状止着部材Ｊ２は、上下の両基端部に対向して略環状に折曲された雌側結着環状部７,７と、該雌側結着環状部７,７から前記雄状挿入部４に対向して前記係止部５が係脱可能な被係止環部８とを備えているので、雄状止着部材Ｊ１は第１被取付体２に例えば結着糸Ｓにより止着されるとともに雌状止着部材Ｊ２は、例えば結着糸Ｓにより第２被取付体６に止着される。
【００２８】
この際、本実施形態１の止着具Ｊは、前記第１被取付体２および第２被取付体６が、例えばジャケット、シャツ、毛皮のコート等の衣料品の前身頃を構成する右部前身頃と左部前身頃であったり、または後身頃を構成する右部後身頃と左部後身頃であったり、または毛皮等のショール、衿巻き等であったり、さらにはバッグ等の身回品の開口部に雄状止着部材Ｊ１と雌状止着部材Ｊ２とを容易かつ確実に止着することができる。
【００２９】
そして、本実施形態１の止着具Ｊは、これらの第１被取付体２に止着された雄状止着部材Ｊ１の係止部５を、第２被取付体５に止着された雌状止着部材Ｊ２の被係止環部８に係止したり、脱係するという簡単な取扱い操作により安定して確実に係着することができる。
【００３０】
この際、雄状止着部材Ｊ１の雄状挿入部４から背面の基端部側に折り返される係止部５の折り返し量を適当長さに加減することにより雌状止着部材Ｊ２の被係止環部８に対する雄状止着部材Ｊ１の係止部５の係止を適切に選定する。
【００３１】
しかも、雄状止着部材Ｊ１の係止部５の幅Ｗ１が、雌状止着部材Ｊ２の被係止環部８の幅Ｗ２よりも僅かに幅広に設けた場合には、雄状止着部材Ｊ１と雌状止着部材Ｊ２との係止時に、前記係止部５が前記被係止環部８の内側に弾力的に圧接されるので、雄状止着部材Ｊ１と雌状止着部材Ｊ２との係止が緩んで不用意に雌状止着部材Ｊ２から雄状止着部材Ｊ１が抜け出すのを防止し、雄状止着部材Ｊ１と雌状止着部材Ｊ２との係止を安定かつ確実にすることができる。
【００３２】
そして、本実施形態１の止着具Ｊは、前述のように人造皮革９により筒状に設けられた保護筒体１０と、該保護筒体１０内に挿入される金属線条材１とによりなる１本の加工線部材１１をそれぞれ折曲、加工することにより雄状止着部材Ｊ１と雌状止着部材Ｊ２とは構成されるので、例えばジャケット、シャツ、毛皮のコート等の衣料品の前身頃を構成する右部前身頃と左部前身頃であったり、後身頃を構成する右部後身頃と左部後身頃であったり、または毛皮等のショール、衿巻き等であったり、さらにはバッグ等の身回品の開口部を止着するための止着具Ｊとして雄状止着部材Ｊ１と雌状止着部材Ｊ２とは保護筒体１０が膚に接触するので、肌触りが良く、違和感を覚えない。しかも、雄状止着部材Ｊ１と雌状止着部材Ｊ２とは保護筒体１０が人造皮革９により形成されているので、摩擦係数が大きく、不用意な滑りを生ずることなくなり、安定した確実な止着状態を維持できる。
【００３３】
そして、止着具Ｊが取付けられている身回り品の洗濯を繰り返して行ったり、長い間使用した場合に、金属線条材４は人造皮革９よりなる保護筒体１０により外周および左右の両端が全体的に覆われているので、金属線条材１の表面には錆びを生ぜず、防錆機能が有効に発揮される。
【００３４】
また、雄状止着部材Ｊ１と、雌状止着部材Ｊ２とにより止着具Ｊは、前述のように人造皮革９により筒状に設けられた保護筒体１０と、該保護筒体１０内に挿入される金属線条材１とによりなる１本の加工線部材１１を折曲、加工して構成されるので、変化に富んだ斬新にしてスマートな外形に製作され、一定の形態に維持される。
【００３５】
この際、雌状止着部材Ｊ２の被係止環部８は、本実施形態１では、図１に示すように基端部側が窄小となる正面略円形に形成されているが、これに限ることなく、例えば図７に示すように正面略長円形に形成されるか、もしくは図９に示すように正面略三角形に形成されるか、さらには図１１に示すように正面略コ字形に形成される等、変化があるデザイン性にすることができる。
【００３６】
しかも、金属線条材１を覆う人造皮革２は、例えば、赤色、青色、緑色、黄色、茶色、肌色、灰色、紫色、黒色、金色、銀色等、色彩を多彩にできるので、止着具Ｊ自体が取付けられる第１被取付体２と、第２被取付体６との調和を容易にはかることができ、例えば第１被取付体２と、第２被取付体６とがニット、絹、麻、木綿により形成される衣料品である場合に、風合いを損ねず、変化に富んだデザインにすることができる。
【００３７】
さらには、本実施形態１の止着具Ｊは、前述のように雄状止着部材Ｊ１と雌状止着部材Ｊ２は、１本の加工線部材１１を折曲、加工して構成されるのと、保護筒体１０は、本実施形態１では、リボン状乃至は短冊状の人造皮革９よりなる保護筒生地材１０Ａの長手方向Ｉの上下の両縁部１２ａ,１２ｂ相互を縫着することにより筒状に形成するほか、または図には示さないが、保護筒生地材１０Ａの長手方向Ｉの上下の両縁部１２ａ,１２ｂ相互を熱溶着するか、高周波溶着するか、超音波溶着するかにより筒状に形成されるので、製作が容易であって製作コストは安価になる。
【００３８】
さらには、本実施形態１の止着具Ｊの廃棄処理時には、構成素材として人造皮革９よりなる筒状の保護筒体１０をカッタ等を用いて破断することにより容易かつ迅速に保護筒体１０を金属線条材１から分離することができるので、分別性に優れている。また、保護筒体１０を形成するための人造皮革９は、例えば基体が例えばポリアミド樹脂よりなる不織布にて形成され、基体の表面材がポリウレタン樹脂をコーティングする等して形成され、しかも、保護筒体１０はカッタにより破断して金属線条材１から剥離して容易に分離することができるので、保護筒体１０と、金属線条材１とはリサイクルして資源の有効活用がはかれ、無公害化を達成することができる。
【産業上の利用可能性】
【００３９】
本発明の身回り品の止着具は、膚に接触した場合に肌触りが良く、違和感を覚えず、また、不用意な滑りを生ずることなく、安定した確実な止着状態を維持でき、しかも、洗濯を繰り返して行ったり、長い間使用しても、金属線条材の表面に錆びを生ぜず、防錆機能を有効に発揮でき、また、色彩が多彩で止着具自体が取付けられる被取付体との調和を容易にはかることができ、風合いを損ねずに、デザイン的な変化に富み、さらには製作が容易であって製作コストは安価であり、また、廃棄処理時の構成素材の分別性に優れて資源の有効活用と無公害化を達成することができ、さらには広範な用途・分野に適する。
【図面の簡単な説明】
【００４０】
【図１】図１は本発明の身回り品の止着具を示す本実施形態１の係止時の正面図である。
【図２】図２は同じく本実施形態１の止着具を示し係止時の水平断面図である。
【図３】図３は同じく本実施形態１の止着具を構成する加工線部材を示す拡大断面図である。
【図４】図４は同じく本実施形態１を構成する保護筒体の製造工程を示す斜視図である。
【図５】図５は同じく保護筒体の製造工程を示す拡大正面図である。
【図６】図６は同じく本実施形態１を構成する保護筒体を表側に返す状態の説明的な拡大断面図である。
【図７】図７は本発明の身回り品の止着具の実施形態２を示した係止時の正面図である。
【図８】図８は同じく実施形態２の止着具を示した係止時の水平断面図である。
【図９】図９は同じく本発明の身回り品の止着具の実施形態３を示した係止時の正面図である。
【図１０】図１０は同じく本発明の身回り品の止着具の実施形態３を示した係止時の水平断面図である。
【図１１】図１１は同じく本発明の身回り品の止着具を示した実施形態４の係止時の正面図である。
【図１２】図１２は同じく本発明の身回り品の止着具を示した実施形態４の係止時の水平断面図である。
【符号の説明】
【００４１】
１      金属線条材
２      第１被取付体
３      雄側結着環状部
４      雄状挿入部
５      係止部
６      第２被取付体
７      雌側結着環状部
８      被係止環部
９      人造皮革
１０    保護筒体
１０Ａ  保護筒生地材
１１    加工線部材
１２ａ  縁部
１２ｂ  縁部
Ｊ      止着具
Ｊ１    雄状止着部材
Ｊ２    雌状止着部材
【図１】
2007014527.tif 000003
【図２】
2007014527.tif 000004
【図３】
2007014527.tif 000005
【図４】
2007014527.tif 000006
【図５】
2007014527.tif 000007
【図６】
2007014527.tif 000008
【図７】
2007014527.tif 000009
【図８】
2007014527.tif 000010
【図９】
2007014527.tif 000011
【図１０】
2007014527.tif 000012
【図１１】
2007014527.tif 000013
【図１２】
2007014527.tif 000014